(57)【要約】【課題】画像表示プロジェクタにおいて、画像投射時にランプボックスが発生する熱を利用して、部屋全体に満遍なく芳香成分を拡散させ、ユーザをリラックスさせる。【解決手段】ランプボックス５と空気排出口９との間に、ランプボックス５を通過した空気流を部分的に遮断する遮蔽部材１１と、芳香剤が充填される芳香剤容器１０を設ける。冷却ファン８によって送り出され、ランプボックス５を通過する際に熱せられた空気流によって、芳香剤を蒸発させ、空気排出口９から画像表示プロジェクタ１の周辺に拡散させる。このとき、遮蔽部材１１を矢印Ｃ方向に移動させることにより、部屋内の芳香成分の濃度を調整すると共に、放熱フィン１８による放熱量も調整する。【選択図】図２
2006023550.tif 000002
【特許請求の範囲】
【請求項１】
ランプから出射される光により画像を投射する画像投射ユニットと、前記ランプを保持するランプボックスと、前記画像投射ユニット及びランプボックスを収容する外装ケースと、この外装ケースの側面の前記ランプボックスに対向する部分に、該ランプを交換し得るように、開閉自在に設けられたドア部材と、前記ランプを冷却するために、前記ランプボックスに空気を送り出す冷却ファンと、この冷却ファンによって送り出され、前記ランプボックスを通過した空気を前記外装ケースの外部に排出するために、外装ケースに設けられた空気排出口とを備えた画像表示プロジェクタにおいて、
前記ランプボックスと空気排出口との間であって前記ドア部材と対向する位置に配置され、芳香剤が充填される芳香剤容器と、
前記ランプボックスと芳香剤容器との間に、前記ランプボックスを通過した空気流に略直交する方向に移動自在に設けられ、前記ランプボックスを通過した空気流を部分的に遮断する遮蔽部材とをさらに備え、
前記外装ケースは、前記遮蔽部材が前記ランプボックスを通過した空気流に略直交する方向に移動されたとき、その先端部をケース外部に出没可能にするための開口を有し、
前記遮蔽部材は、その先端部に放熱のための放熱フィンを有し、
画像投射時に、前記冷却ファンが前記ランプボックスに空気を送り出すことにより、前記ランプが発生する熱によって、前記芳香剤容器に充填された芳香剤の芳香成分を蒸発又は昇華させ、前記空気排出口から画像表示プロジェクタの周辺に拡散させると共に、前記ランプボックスを通過した空気の熱を前記遮蔽部材の放熱フィンに伝導させ、該放熱フィンから前記外装ケースの外部に放出させることを特徴とする画像表示プロジェクタ。
【請求項２】
ランプから出射される光により画像を投射する画像投射ユニットと、前記ランプを保持するランプボックスと、前記画像投射ユニット及びランプボックスを収容する外装ケースと、
前記ランプを冷却するために、前記ランプボックスに空気を送り出す冷却ファンと、この冷却ファンによって送り出され、前記ランプボックスを通過した空気を前記外装ケースの外部に排出するために、該外装ケースに設けられた空気排出口とを備えた画像表示プロジェクタにおいて、
前記ランプボックスと空気排出口との間に配置され、芳香剤が充填される芳香剤容器をさらに備え、
画像投射時に、前記冷却ファンが前記ランプボックスに空気を送り出すことにより、前記ランプが発生する熱によって、前記芳香剤容器に充填された芳香剤の芳香成分を蒸発又は昇華させ、前記空気排出口から画像表示プロジェクタの周辺に拡散させることを特徴とする画像表示プロジェクタ。
【請求項３】
前記ランプボックスと芳香剤容器との間に、前記ランプボックスを通過した空気流に略直交する方向に移動自在に設けられ、前記ランプボックスを通過した空気流を部分的に遮断する遮蔽部材とをさらに備えたことを特徴とする請求項２に記載の画像表示プロジェクタ。
【発明の詳細な説明】
【技術分野】
【０００１】
本発明は、装置の前方に設置されたスクリーンに画像を投射して表示する画像表示プロジェクタに関するものである。
【背景技術】
【０００２】
従来から、パソコンやビデオカメラ等からの画像データを基に画像を生成し、その画像をスクリーン等に投射表示する画像表示プロジェクタが実用化されている。このような画像表示プロジェクタは、映画等を視聴する際に、手軽に大画面で臨場感の高い表示を楽しむことができ、人気を博しつつある。
【０００３】
ところで、画像表示プロジェクタによってスクリーンに投射された大迫力の画像を長時間に亘って見続けると、目の周辺は言うまでもなく、全身の筋肉が疲労してしまうことがある。このような疲労に対しては、アロマテラピィ（芳香療法）によるリラクゼーションが有効であると言われている。そこで、芳香剤の芳香成分を拡散させるアロマテラピィ機能を備えた電子機器が検討されている。このような、電子機器の例として、パワーアンプが発生した熱によって芳香液を蒸発させるＣＤ再生装置が知られている（例えば、特許文献１参照）。また、カプセルに充填された芳香剤を熱して蒸発させるための発熱体を備えたデータ再生装置が知られている（例えば、特許文献２参照）。
【特許文献１】特開２０００−３１１４２１号公報
【特許文献２】特開平５−１０９２５３号公報
【０００４】
一方、運転中における画像表示プロジェクタのランプ周辺の温度は著しく上昇するが、従来の画像表示プロジェクタでは、ランプ周辺の熱を如何に効率よく装置本体の外部に放出するかといった観点でのみ設計されており、ランプが発生した熱を利用するような構成はなされていない。
【発明の開示】
【発明が解決しようとする課題】
【０００５】
しかしながら、上記特許文献１に示されたＣＤ再生装置においては、蒸発させた芳香液の芳香成分を装置の外に積極的に拡散させることができないので、特に広い部屋に装置が設置された場合、部屋の隅々まで芳香成分を拡散させることが困難である。また、ユーザが香りの強さを調整することができないので、香りが強すぎるときは、却ってユーザを不快にさせることがある。また、上記特許文献２に示されたデータ再生装置においては、芳香剤を熱するための発熱体を別途設けなければならず、装置のコストアップと消費電力の高騰を招来する。
【０００６】
本発明は、上記課題を解決するためになされたものであり、画像投射時に、ランプボックスが発生する熱を利用して、部屋全体に満遍なく芳香成分を拡散させ、ユーザをリラックスさせることができる画像表示プロジェクタを提供することを目的とする。
【課題を解決するための手段】
【０００７】
上記目的を達成するために請求項１の発明は、ランプから出射される光により画像を投射する画像投射ユニットと、ランプを保持するランプボックスと、画像投射ユニット及びランプボックスを収容する外装ケースと、この外装ケースの側面のランプボックスに対向する部分に、該ランプを交換し得るように、開閉自在に設けられたドア部材と、ランプを冷却するために、ランプボックスに空気を送り出す冷却ファンと、この冷却ファンによって送り出され、ランプボックスを通過した空気を外装ケースの外部に排出するために、外装ケースに設けられた空気排出口とを備えた画像表示プロジェクタにおいて、ランプボックスと空気排出口との間であってドア部材と対向する位置に配置され、芳香剤が充填される芳香剤容器と、ランプボックスと芳香剤容器との間に、ランプボックスを通過した空気流に略直交する方向に移動自在に設けられ、ランプボックスを通過した空気流を部分的に遮断する遮蔽部材とをさらに備え、外装ケースは、遮蔽部材がランプボックスを通過した空気流に略直交する方向に移動されたとき、その先端部をケース外部に出没可能にするための開口を有し、遮蔽部材は、その先端部に放熱のための放熱フィンを有し、画像投射時に、冷却ファンがランプボックスに空気を送り出すことにより、ランプが発生する熱によって、芳香剤容器に充填された芳香剤の芳香成分を蒸発又は昇華させ、空気排出口から画像表示プロジェクタの周辺に拡散させると共に、ランプボックスを通過した空気の熱を遮蔽部材の放熱フィンに伝導させ、該放熱フィンから外装ケースの外部に放出させるものである。
【０００８】
請求項２の発明は、ランプから出射される光により画像を投射する画像投射ユニットと、ランプを保持するランプボックスと、画像投射ユニット及びランプボックスを収容する外装ケースと、ランプを冷却するために、ランプボックスに空気を送り出す冷却ファンと、この冷却ファンによって送り出され、ランプボックスを通過した空気を外装ケースの外部に排出するために、該外装ケースに設けられた空気排出口とを備えた画像表示プロジェクタにおいて、ランプボックスと空気排出口との間に配置され、芳香剤が充填される芳香剤容器をさらに備え、画像投射時に、冷却ファンがランプボックスに空気を送り出すことにより、ランプが発生する熱によって、芳香剤容器に充填された芳香剤の芳香成分を蒸発又は昇華させ、空気排出口から画像表示プロジェクタの周辺に拡散させるものである。
【０００９】
請求項３の発明は、請求項２に記載の画像表示プロジェクタにおいて、ランプボックスと芳香剤容器との間に、ランプボックスを通過した空気流に略直交する方向に移動自在に設けられ、ランプボックスを通過した空気流を部分的に遮断する遮蔽部材とをさらに備えたものである。
【発明の効果】
【００１０】
請求項１の発明によれば、画像投射時に、ランプが発生する熱によって、芳香剤容器に充填された芳香剤の芳香成分を蒸発又は昇華させるので、ユーザはリラックスした気分で大迫力の画像を楽しむことができる。また、冷却ファンによって送り出された空気によって、芳香剤の芳香成分が空気排出口から排出され、画像表示プロジェクタの周辺に拡散されるので、芳香成分を部屋の隅々まで略満遍なく分布させることができる。また、遮蔽部材がランプボックスを通過した空気流に略直交する方向に移動自在に設けられているので、ユーザは遮蔽部材を移動させることにより、芳香剤の周辺を流れる空気量を調整し、部屋内に拡散された芳香成分の濃度、すなわち香りの強さを調整することができる。その際、遮蔽部材の先端部に形成されている放熱フィンが外装ケースから出没されるので、ランプの温度に応じて放熱フィンの放熱量も調整することができる。
【００１１】
請求項２の発明によれば、画像投射時に、ランプが発生する熱によって、芳香剤容器に充填された芳香剤の芳香成分を蒸発又は昇華させるので、ユーザはリラックスした気分で大迫力の画像を楽しむことができる。また、冷却ファンによって送り出された空気によって、芳香剤の芳香成分が空気排出口から排出され、画像表示プロジェクタの周辺に拡散されるので、芳香成分を部屋の隅々まで略満遍なく分布させることができる。
【００１２】
請求項３の発明によれば、遮蔽部材がランプボックスを通過した空気流に略直交する方向に移動自在に設けられているので、ユーザは遮蔽部材を移動させることにより、芳香剤の周辺を流れる空気量を調整し、芳香剤の香りの強さを調整することができる。
【発明を実施するための最良の形態】
【００１３】
本発明を実施するための最良の実施形態による画像表示プロジェクタについて図面を参照して説明する。図１は画像表示プロジェクタを示している。また、図２は、そのランプ周辺部の断面を示している。画像表示プロジェクタ１は、ランプ２（図２参照）から出射される光により画像を投射する画像投射ユニット３と、リフレクタ４を介してランプ２を保持するランプボックス５と、画像投射ユニット３及びランプボックス５を収容する外装ケース６と、この外装ケース６の側面に開閉自在に設けられたドア部材７と、ランプ２を冷却するための冷却ファン８と、外装ケース６の前面に設けられた空気排出口９と、芳香剤が充填される芳香剤容器１０と、ランプボックス５と芳香剤容器１０との間に設けられた遮蔽部材１１等によって構成されている。なお、図２において、ランプ２及びリフレクタ４は、その背面側が描かれている。
【００１４】
画像投射ユニット３は、ランプ２から出射された光を均一化して通過させるライトトンネルと、ライトトンネルを通過した光を反射させて画像を形成する画像形成素子と、画像形成素子によって反射された光をスクリーンに向けて投射する投射レンズ１２等によって構成されている。
【００１５】
ランプボックス５には、リフレクタ４とランプ２が組み込まれている。ランプボックス５の冷却ファン８に対向する面及び芳香剤容器１０に対向する面には、冷却ファン８によって送り出された空気が通過できるように、開口１３及び１４が設けられている。
【００１６】
ドア部材７は、外装ケース６の側面であって、ランプボックス５及び芳香剤容器１０に対向する部分に、矢印Ａ方向に開閉自在に設けられている。従って、ランプ２の交換又は芳香剤容器１０への芳香剤の補充は、ドア部材７を開いてランプボックス５又は芳香剤容器１０を矢印Ｂ方向に引出すことにより行うことができる。
【００１７】
冷却ファン８は、開口１３に対向するように配置されており、後方の空気をリフレクタ４とランプ２の背面に向けて送り出す。本実施の形態では、冷却ファン８によって送り出された空気流Ｗがランプボックス５、芳香剤容器１０、空気排出口９を順次通過するように、冷却ファン８、及びランプボックス５、芳香剤容器１０、空気排出口９は同一の直線上に直列に並ぶように配置されている。空気排出口９は、外装ケース６の前面に設けられており、適宜間隔を隔てて配設された複数枚のルーバ１５によって区画されている。芳香剤容器１０は、開口１４に対向するように配置されている。また、芳香剤容器１０には、液状の又は固形の芳香剤が充填されている。ランプボックス５及び芳香剤容器１０は、外装ケース６と一体的に成形された枠部材１６によって保持されている。
【００１８】
ランプボックス５と芳香剤容器１０との間には、遮蔽部材１１が設けらている。遮蔽部材１１は、その一端部が枠部材１６に設けられたスリット１７に間挿され、枠部材１６によって矢印Ｃ方向に移動自在に保持される。遮蔽部材１１の他端部には、放熱フィン１８が設けられている。遮蔽部材１１を矢印Ｃ方向に移動させることにより、ランプボックス５から芳香剤容器１０に流れ込む空気量を調整することができる。例えば、比較的狭い部屋に画像表示プロジェクタ１を設置する場合には、遮蔽部材１１を下方に移動させて、ランプボックス５から芳香剤容器１０に流れ込む空気量を減少させることにより、部屋に拡散される芳香成分の濃度を抑制することができる。また、本実施の形態では、遮蔽部材１１を矢印Ｃ方向に移動させることにより、放熱フィン１８の外装ケース６からの突出量を調整し、その放熱量を調整することができる。なお、画像表示プロジェクタ１が画像を投射しているときのランプ２の発熱量は非常に大きいため、外装ケース６から突出される放熱フィン１８が高温度になる虞もある。そこで、ユーザが誤って放熱フィン１８に触れた場合であっても火傷等の危険を回避できる程度の熱伝導率を有する材料によって遮蔽部材１１を形成するのが望ましい。
【００１９】
図３は、比較的狭い部屋で使用されるときの画像表示プロジェクタ１を示している。狭い部屋では、芳香剤容器１０から部屋に拡散される芳香成分の濃度が過度に高くなりがちである。そこで、本実施の形態では、遮蔽部材１１を下限まで移動させ、芳香剤容器１０に流れ込む空気量を減少させる。これにより、部屋に拡散される芳香成分の濃度を抑制することができる。
【００２０】
図４は、比較的広い部屋で使用されるときの画像表示プロジェクタ１を示している。広い部屋では、芳香剤容器１０から部屋に拡散される芳香成分の濃度が不足しがちである。また、スクリーンと画像表示プロジェクタ１との距離が離れた状態で明るい画像を得るためには、ランプ２の出力を上げる必要があるため、ランプ２の周辺の冷却が不足する傾向にある。そこで、本実施の形態では、遮蔽部材１１を上限まで移動させて、芳香剤容器１０に流れ込む空気量を増大させると共に、放熱フィン１８の外装ケース６からの突出量を大きくする。これにより、部屋に拡散される芳香成分の濃度を上げつつ、放熱フィン１８の放熱量を上げ、ランプ２の周辺温度の低下を図ることができる。
【００２１】
以上のように、本実施の形態の画像表示プロジェクタ１によれば、画像投射時に、ランプが発生する熱によって、芳香剤容器に充填された芳香剤の芳香成分を蒸発又は昇華させるので、ユーザはリラックスした気分で大迫力の画像を楽しむことができる。また、冷却ファン８によって送り出された空気によって、芳香剤の芳香成分が空気排出口９から排出され、画像表示プロジェクタ１の周辺に拡散されるので、芳香成分を部屋の隅々まで略満遍なく分布させることができる。また、遮蔽部材１１がランプボックス５を通過した空気流に略直交する方向に移動自在に設けられているので、ユーザは遮蔽部材１１を移動させることにより、芳香剤の周辺を流れる空気量を調整し、部屋内に拡散された芳香成分の濃度、すなわち香りの強さを調整することができる。また、ランプ２が発生する熱の一部が放熱フィン１８によって外装ケース６の上面側に放出されるので、画像表示プロジェクタ１の前面のルーバ１５の近傍の温度を下げることができる。その際、遮蔽部材１１の先端部の放熱フィン１８が外装ケース６から突出されるので、ランプ２の温度に応じて放熱フィン１８の放熱量も調整することができる。
【００２２】
なお、本発明は上記実施形態の構成に限られることなく種々の変形が可能であり、例えば、遮蔽部材１１は、予め定められた位置に固定されている構造であってもよいし、遮蔽部材１１そのものを省略してもよい。また、冷却ファン８の回転数によって、芳香剤の香りの強さを調整するようにしてもよい。さらに、冷却ファン８、ランプボックス５、芳香剤容器１０及び空気排出口９の配置は、図１及び図２に示したものに限られることなく、画像表示プロジェクタ１の他の部品との関係によって、適宜変更することができる。
【図面の簡単な説明】
【００２３】
【図１】本発明の一実施の形態による画像表示プロジェクタの構成を示す斜視図。
【図２】同プロジェクタのランプ周辺の構造を示す断面図。
【図３】比較的狭い部屋で使用されている状態での同プロジェクタの断面図。
【図４】比較的広い部屋で使用されている状態での同プロジェクタの断面図。
【符号の説明】
【００２４】
１    画像表示プロジェクタ
２    ランプ
３    画像投射ユニット
５    ランプボックス
６    外装ケース
７    ドア部材
８    冷却ファン
９    空気排出口
１０    芳香剤容器
１１    遮蔽部材
１８    放熱フィン
【図１】
2006023550.tif 000003
【図２】
2006023550.tif 000004
【図３】
2006023550.tif 000005
【図４】
2006023550.tif 000006